(57)【要約】本発明は、ＣＤＭＡ−２０００システムにおける電力を制御する方法に関する。従来のＣＤＭＡ−２０００システムにおいて、リバースリンク電力制御アルゴリズムが使用され、それはボイス通信に対してのみ最適化される。ボイス通信に対するリバースリンク電力制御の目的は、ある率未満（典型的には、１％のエラー率）にリバースチャネルで受信されたフレームのエラー率を維持することである。このように、ボイス通信に対するリバースリンク電力制御アルゴリズムは、データサービスには適さず、その処理量が、最大化される必要がある。上記観察に基づき、本発明は、ＣＤＭＡ−２０００システムを介して提供されるべきサービスのタイプに従って異なるアルゴリズムを実行する方法を提案する。即ち、サービスのタイプが、ボイスサービスである場合、ＩＳ−９５ＡやＩＳ−９５Ｂ  ＣＤＭＡシステムに対して使用される従来のリバースリンク電力制御アルゴリズムが基地局サブシステム（ＢＴＳ）で使用される。しかしながら、サービスのタイプがデータサービスである場合、リバース基本チャネルとリバース補助チャネルの各々に対する目標ビット当りエネルギー／ノイズ合計（Ｅｂ／Ｎｔ）値は、リバースチャネルで受信されたフレームの状態に基づいて決定される。提案された方法の場合、本発明は、ボイスサービスとデータサービスの両方に対して電力制御アルゴリズムを最適化できる。このように、データサービスでの処理量は、向上される。【選択図】図１
2007506354.tif 000002
【特許請求の範囲】
【請求項１】
ＣＤＭＡ−２０００システムにおける電力を制御する方法であって、前記方法は、
提供されるべきサービスのタイプを選択するステップと；
選択されたサービスのタイプが、データサービスである場合、そのデータサービスのためのリバースリンク電力制御アルゴリズムを実行するステップと；
選択されたサービスのタイプが、ボイスサービスである場合、ＩＳ−９５Ａ又はＩＳ−９５Ｂ  ＣＤＭＡシステムのためのリバースリンク電力制御アルゴリズムを実行するステップと；
目標ビット当りエネルギー／ノイズ合計（Ｅｂ／Ｎｔ）値を決定するステップと、
を備える方法。
【請求項２】
前記データサービスのための前記リバースリンク電力制御アルゴリズムは、
基地局トランシーバサブシステム（ＢＴＳ）において、基本チャネルと補助チャネルを介する受信フレームの状態をチェックするステップと；
基本及び補助チャネルの各々に対して目標Ｅｂ／Ｎｔ値を決定するステップと；
決定された目標Ｅｂ／Ｎｔ値を基地局コントローラ（ＢＳＣ）からＢＴＳに送信するステップと；
ＢＴＳで、電力制御グループ間で基本及び補助チャネルの各々に対する現在のＥｂ／Ｎｔ値をチェックするステップと；
現在のＥｂ／ＮＴ値を送信された目標Ｅｂ／Ｎｔ値に比較するステップと；
基本及び補助チャネルに対する電力制御ビットを決定するステップと；
ＢＴＳで、決定された電力制御ビットをモバイルユニットに送信するステップと、
を備える請求項１に記載の方法。
【発明の詳細な説明】
【技術分野】
【０００１】
本発明は、一般的に、ＣＤＭＡ−２０００システムで電力を制御する方法に関し、より具体的には、リバース基本チャネルと補助チャネルを考慮して、ＣＤＭＡ−２０００システムにおいて外部回路とリバースリンクデータサービスのためのロックアウト回路の電力を制御する方法に関する。
【背景技術】
【０００２】
一般的に、ＣＤＭＡシステムは、ボイス品質を向上し且つシステムの能力を増加するための電力制御方法を使用する。この結果、従来のモバイル通信システムは、ボイス指向サービスのみを提供して来た。それは、ボイス品質を最大にするために最適化された。
【０００３】
ＩＳ−９５ＡやＩＳ−９５Ｂ  ＣＤＭＡシステムは、種々のリバースリンク電力制御方法を使用しており、ボイス通信サービスのために最適化される。更に、ＩＳ−９５ＡやＩＳ−９５Ｂシステムによって提供される低転送速度データサービスは、ボイス通信サービスに基づいている。このように、システム性能とリンク性能は、ＩＳ−９５ＡやＩＳ−９５Ｂシステムがボイス通信サービスに対してのみ最適化される場合でも、影響を及ぼされない。
【０００４】
従って、基地局トランシーバサブシステム（ＢＴＳ）で、従来のレバースリンク電力制御アルゴリズムは、リバース基本チャネルにおける受信フレームの状態に従って、電力制御ビットを決定する。また、モバイルユニットは、電力制御ビットを受信することによってその送信電力を調節する。
【０００５】
更に、ＣＤＭＡ−２０００  １ｘシステムとＣＤＭＡ−２０００  ３ｘシステムは、従来のボイスサービスと高転送速度データサービスの両方を提供する。このようなシステムにおいて、ロックアウト回路のための高速電力制御方法は、フォーワードリンクにおける高転送速度データサービスを提供するために補助される。
【０００６】
しかしながら、リバースリンクにおいて、ボイス通信のための従来の電力制御方法は、補助チャネルがリバースリンクに追加された場合に、使用されて来た。これは、高転送速度データサービスを提供するためである。
【０００７】
ＣＤＭＡ−２０００システムにおいてデータサービスを実行する時にボイスサービスのために使用された、リバースリンクのための従来の電力制御アルゴリズムを使用する場合、以下の問題が発生する可能性がある。
【０００８】
第１に、リバースリンク電力制御の目的は、ボイスサービスのためのある特定のボイス品質基準を満足するため及びデータサービスのためのシステムの処理量を更に最大化し且つ維持するためである。従って、データサービスのために、リバースリンク電力制御は、受信フレームエラー率（ＦＥＲ）が、ある特定の率より下（一般的に、１％）に維持されるように実行されるべきである。他方、ＦＥＲは、データサービスのためのシステムの処理量を最大にするように変更されることができる。このようにして、従来のリバースリンク電力制御アルゴリズムとそのパラメータ値を使用する場合、ＦＥＲは、データサービスに対して１％未満に維持されて来た。しかしながら、システムの処理量は、最大にはできなかった。
【０００９】
次に、ＣＤＭＡ−２０００  １ｘシステムにおけるリバースリンクデータサービスは、信号メッセージが基本チャネルを介して転送される間、補助チャネルを介して実行される。しかしながら、従来のリバースリンク電力制御方法は、基本チャネルのみを考慮しており、基本チャネルの電力に従って、補助チャネルの送信電力を調節していた。この方法は、基本チャネルと補助チャネルの両方の考慮がデータサービスのために必要とされる場合には、不利益である。
【００１０】
これに関して、ボイスサービスに対して最適化された従来のリバースリンク電力制御方法は、データサービスに対しては適さない。これは、その方法が、システム性能とサービス品質を低下させるからである。
【発明の開示】
【発明が解決しようとする課題】
【００１１】
従って、本発明の目的は、従来のリバースリンク電力制御方法に関連する上記不利益点を追及して解決することである。
【００１２】
本発明の他の目的は、データサービスのために最適化されるように外部回路とロックアウト回路のための電力制御アルゴリズムを設計し、且つ更に一つの電力制御ビットを有する二つのチャネルの電力制御を実行することである。特に、従来のボイスサービスが提供される場合、従来のリバースリンク電力制御方法が、実行される。他方、データサービスが提供される場合、本発明に従うリバースリンク電力制御アルゴリズムが、実行される。本発明では、ボイスサービスとデータサービスの両方に対して最適化された電力制御アルゴリズムが、実行されることができる。これによって、ＣＤＭＡ−２０００  １ｘと３ｘシステムにおいてデータサービスのリバースリンク性能が向上される。また、これによって、ＣＤＭＡ−２０００システムにおけるデータサービスのための外部回路とロックアウト回路の電力を制御するための方法が提供される。
【課題を解決するための手段】
【００１３】
上記目的を達成するために、本発明に従うＣＤＭＡ−２０００システムにおける電力を制御する方法は、以下のステップ、即ち、提供されるべきサービスのタイプを選択するステップと；選択されたサービスのタイプが、データサービスである場合、そのデータサービスのためのリバースリンク電力制御アルゴリズムを実行するステップと；選択されたサービスのタイプが、ボイスサービスである場合、ＩＳ−９５Ａ又はＩＳ−９５Ｂ  ＣＤＭＡシステムのためのリバースリンク電力制御アルゴリズムを実行するステップと；目標ビット当りエネルギー／ノイズ合計（Ｅｂ／Ｎｔ）値を決定するステップと、を備える。
【００１４】
更に、上記目的を達成するために、データサービスのためのリバースリンク電力制御アルゴリズムは、基地局トランシーバサブシステム（ＢＴＳ）において、基本チャネルと補助チャネルを介する受信フレームの状態をチェックするステップと；基本及び補助チャネルの各々に対して目標Ｅｂ／Ｎｔ値を決定するステップと；決定された目標Ｅｂ／Ｎｔ値を基地局コントローラ（ＢＳＣ）からＢＴＳに送信するステップと；ＢＴＳにおいて、電力制御グループ間で基本及び補助チャネルの各々に対する現在のＥｂ／Ｎｔ値をチェックするステップと；現在のＥｂ／ＮＴ値を送信された目標Ｅｂ／Ｎｔ値と比較するステップと；基本及び補助チャネルに対する電力制御ビットを決定するステップと；ＢＴＳで、決定された電力制御ビットをモバイルユニットに送信するステップと、を備える。
【発明の効果】
【００１５】
本発明の特徴によれば、（１）従来のボイスサービスが提供される場合、従来のリバースリンク電力制御方法を実行することによって、及び（２）データサービスが提供される場合、本発明に従うリバースリンク電力制御アルゴリズムを実行することによって、ボイスサービスとデータサービスに対して最適化可能な電力制御アルゴリズムが、実行されることができる。
【００１６】
更に、ＣＤＭＡ−２０００システムにおけるリバースリンクデータサービスに対して電力制御を提供するために基本チャネルと補助チャネルの両方を考慮することによって、ＣＤＭＡ−２０００  １ｘと３ｘシステムにおけるリバースリンク性能の向上とデータサービスのより高転送速度化が達成されることができる。
【００１７】
更に、本発明は、データサービスのための電力制御アルゴリズムを設計することによってデータサービスの処理量とデータ送信速度を改良する。
【００１８】
最後に、本発明は、追加のコストを負担することなく従来のＣＤＭＡ−２０００システムに直接に適用されることができる。
【００１９】
これらの図面は単に本発明の好適な実施の形態を示しているに過ぎず、本発明の範囲を制限するものとして考えられるべきではない。本発明のそれら並びに他の特徴は、図面を参照することにより、更に明確になるであろう。
【発明を実施するための最良の形態】
【００２０】
以下、本発明の好適な実施の形態が添付の図面を参照して説明され且つ示される。
【００２１】
図１は、サービスのタイプに従ってリバースリンク電力制御アルゴリズムを選択するための本発明に従うプロセスを示す。図１に示されるように、このプロセスは、（１）提供されるべきサービスのタイプを選択するステップ（ＳＴ１１）と；選択されたサービスのタイプがデータサービスである場合、そのデータサービスに対してリバースリンク電力制御アルゴリズムを実行するステップ（ＳＴ１２）と；選択されたサービスのタイプがボイスサービスである場合、ＩＳ−９５Ａ又はＩＳ−９５Ｂ  ＣＤＭＡシステムのために使用されるリバースリンク電力制御アルゴリズムを実行するステップ（ＳＴ１３）と；上記電力制御アルゴリズムの一方を実行した後、目標ビット当りエネルギー／ノイズ合計（Ｅｂ／Ｎｔ）値を決定するステップ（ＳＴ１４）と、を備える。
【００２２】
図２は、本発明に従うデータサービスのための外部回路のリバースリンク電力制御プロセスを示す。図２に示されるように、このプロセスは、ＢＴＳで、基本チャネルと補助チャネルを介する受信フレームの状態をチェックするステップ（ＳＴ２１）と；基本チャネルを介する受信フレームの状態に従って目標Ｅｂ／Ｎｔ値を調節するステップ（ＳＴ２２）と；基本チャネルに対する目標Ｅｂ／Ｎｔ値を決定するステップ（ＳＴ２３）と；補助チャネルを介する受信フレームの状態に従って目標Ｅｂ／Ｎｔ値を調節するステップ（ＳＴ２４）と；補助チャネルに対する目標Ｅｂ／Ｎｔ値を決定するステップ（ＳＴ２５）と；基本チャネル及び補助チャネルに対する決定済み目標Ｅｂ／Ｎｔ値をＢＳＣからＢＴＳへ送信するステップ（ＳＴ２６）を備える。
【００２３】
図３は、本発明に従うデータサービスのためのロックアウト回路のリバースリンク電力制御プロセスを示す。図３に示されるように、このプロセスは、ＢＳＣからＢＴＳへの基本及び補助チャネルの各々に対する目標Ｅｂ／Ｎｔ値を受信するステップ（ＳＴ３１）と；ＢＴＳにおいて電力制御グループ間で受信Ｅｂ／Ｎｔ値をチェックしてＢＳＣから受信したＥｂ／Ｎｔ値を基本チャネルに対する目標Ｅｂ／Ｎｔ値と比較するステップ（ＳＴ３２）と；基本チャネルに対する電力制御ビットを決定するステップ（ＳＴ３３）と；ＢＳＣから受信したＥｂ／Ｎｔ値を補助チャネルに対する目標Ｅｂ／Ｎｔ値に比較するステップ（ＳＴ３４）と；補助チャネルに対する電力制御ビットを決定するステップ（ＳＴ３５）と；基本チャネル又は補助チャネルに対する電力制御ビットを選択するステップ（ＳＴ３６）と；決定された電力制御ビットを送信するステップ（ＳＴ３７）と、を備える。
【００２４】
以下に、図１乃至図３のプロセスを詳細に説明する。
【００２５】
第１に、図１に示されるように、二つの個別のアルゴリズムがサービスのタイプに従って実行される。換言すれば、一般的にＩＳ−９５ＡやＩＳ−９５Ｂシステムで使用されるリバースリンク電力制御アルゴリズムは、ボイスサービスに対して実行されるが、新たに発明されたリバースリンク電力制御アルゴリズムは、データサービスに対して実行される。
【００２６】
図２と図３を参照して、データサービスに対するリバースリンク電力制御アルゴリズムを詳細に説明する。
【００２７】
リバースリンクデータサービスが実行される場合、リバース基本及び補助チャネルが共に使用される。従って、ＢＴＳは、これらのチャネルに対する受信フレームの状態をチェックする。受信フレームの状態に従って、これらのチャネルに対する目標Ｅｂ／Ｎｔ値が調節される。
【００２８】
ボイスサービスに対しては、基本チャネルのみが使用される。このように、一つの目標Ｅｂ／Ｎｔ値を調節すれば十分である。しかしながら、これらのチャネルの両方がデータサービスのために使用される場合、目標Ｅｂ／Ｎｔ値の各々がこれらのチャネルに対して調節されることが必要である。
【００２９】
基本及び補助チャネルの各々に対する目標Ｅｂ／Ｎｔ値を決定すると、ＢＳＣは、ＢＴＳへ決定された値を送信する。ＢＴＳは基本及び補助チャネルに対する目標Ｅｂ／Ｎｔ値を受信する。その後、ＢＴＳは、電力制御グループ同士間で基本及び補助チャネルに対するＥｂ／ＮＴ値（１．２５ｍｓ）をチェックし、Ｅｂ／Ｎｔ値をＢＳＣから受信された目標Ｅｂ／Ｎｔ値と比較する。最後に、これらのチャネルに対する電力制御ビットの各々が決定される。
【００３０】
従来のＤＣＭＡシステムの標準規格に従って、唯一つの電力制御ビットがモバイルユニットに送信されるので、ＢＴＳは、電力制御ビットを送信する。換言すれば、二つの電力制御ビットの一方を交互に送信することによって、これらのビットの各々は、基本チャネル及び／又は補助チャネルのいずれかに対して決定され、基本チャネル及び／又は補助チャネルに対する電力制御が一つの電力制御ビットで実行される。
【００３１】
モバイルユニットは、ＢＴＳから送信された電力制御ビットを使用して送信電力を調節する。送信電力を調節すると、基本チャネルに対する電力、並びに補助チャネルに対する電力が調節されるようになる。
【００３２】
従って、二つのチャネルは、ＩＳ−２０００標準規定によって定義された電力比に従って調節されることができる。これは、ロックアウト回路の電力制御が二つのチャネルの両方に対して実行され得ることを意味する。このように、電力比は、チャネル環境と提供されるべきサービスの優先順位に従って選択されることができる。更に、後者は、データサービスに対する補助チャネルのためにより大きな電力比を選択できることを暗示している。
【００３３】
また、本発明の更なる変更と改良は、当業者にとって明白である。このように、本明細書の特定の記述は、本発明の特定の実施の形態のみを表すことを意図しており、本発明の範囲内において他の割り当て方法を制限するものとして働くように意図してはいない。
【図面の簡単な説明】
【００３４】
【図１】サービスのタイプに従ってリバースリンク電力制御アルゴリズムを選択するための本発明に従うプロセスを示す。
【図２】本発明に従うデータサービスのための外部回路のリバースリンク電力制御プロセスを示す。
【図３】本発明に従うデータサービスのためのロックアウト回路のリバースリンク電力制御プロセスを示す。
【図１】
2007506354.tif 000003
【図２】
2007506354.tif 000004
【図３】
2007506354.tif 000005
【国際調査報告】
2007506354.tif 000006
2007506354.tif 000007